(57)【要約】【課題】  操作性を低下させることなく、防盗性能を向上させることができる自動販売機の扉体施錠装置を提供する。【解決手段】  自動販売機本体６に固定された固定ロック部材７と、扉体１に取り付けられて回動部２ｂを有する錠装置２と、回動部２ｂに連動する状態で、扉体１にスライド自在に取り付けられ、固定ロック部材７に係合する係合位置と係合しない離脱位置とにわたって移動するスライドロック部材５と、自動販売機本体６に固定された補助ロック部材と、回動部２ｂに連動する状態で、扉体１にスライド自在に取り付けられ、前記補助ロック部材に係合する係合位置と係合しない離脱位置とにわたって移動する閂８とを備え、前記補助ロック部材が、自動販売機本体６の側面部裏面に固定されてこの側面部１ｃを補強する補強部材１０であることを特徴とする。【選択図】    図２
2005194802.tif 000002
【特許請求の範囲】
【請求項１】
自動販売機本体と、
自動販売機本体の片側に配置された回転軸を中心として開閉自在に支持された扉体と、
自動販売機本体に固定された固定ロック部材と、
前記扉体に取り付けられ、解錠された際に回転可能となる回動部を有する錠装置と、
前記回動部に連動する状態で、前記扉体にスライド自在に取り付けられ、前記固定ロック部材に係合する係合位置と係合しない離脱位置とにわたって移動するスライドロック部材と、
前記回動部に連動する状態で、前記扉体にスライド自在に取り付けられ、前記自動販売機本体に係合する係合位置と係合しない離脱位置とにわたって移動する閂と
を備えた自動販売機の扉体施錠装置。
【請求項２】
閂が自動販売機本体に固定された補助ロック部材に係合し、
前記補助ロック部材が、自動販売機本体の側面部裏面に固定されてこの側面部を補強する補強部材である請求項１に記載の自動販売機の扉体施錠装置。
【請求項３】
扉体に貨幣処理部を覆う貨幣処理部カバーを開閉自在に設け、閂または閂に連動する部品に、閉鎖姿勢の前記貨幣処理部カバーに係合してこの貨幣処理部カバーが開けられることを禁止するカバー係合部を形成した請求項１または２に記載の自動販売機の扉体施錠装置。
【請求項４】
錠装置の錠機構を裏側から覆う錠カバー内に貨幣処理部カバーの一部が突入された状態で、閂が前記貨幣処理部カバーの突入部分に係合するように構成された請求項３記載の自動販売機の扉体施錠装置。
【請求項５】
扉体の裏面部に固定されている部材に、扉体の裏面より自動販売機本体内部に向けて後方へ延びる内カバーと、扉体の裏面より自動販売機本体外部に向けて後方へ延びる外カバーとを固着し、前記内カバーと外カバーとにより、固定ロック部材における扉体と自動販売機本体との間の隙間に臨む部分を２重に覆った請求項１〜４の何れか１項に記載の自動販売機の扉体施錠装置。
【発明の詳細な説明】
【技術分野】
【０００１】
本発明は自動販売機の扉体施錠装置に関する。
【背景技術】
【０００２】
自動販売機においては、自動販売機本体に、その片側に配置された回転軸を中心として、前面開口部を閉鎖する扉体が開閉自在に取り付けられている。また、自動販売機には扉体施錠装置が取り付けられ、この扉体施錠装置により、商品販売時には扉体が開けられないようにロックされている。
【０００３】
従来の自動販売機の扉体施錠装置について図１３〜図１７に基づき説明する。
図１３、図１４に示すように、前面扉をなす扉体１における回転軸１ａが設けられていない側には、特定のキーにより解錠される円筒形のシリンダ錠などの錠装置２が設けられている。この錠装置２は、その外殻をなすベース部２ａを介して扉体１に取り付けられ、キー挿入部２ｃが外部に露出されているとともに、ベース部２ａの内部において解錠時に回動可能となる回動部２ｂや、この回動部２ｂを一体的に回転させるためのハンドル部２ｄなども設けられている。また、錠装置２の回動部２ｂの後端面には回動プレート３がねじなどにより取り付けられており、解錠時には、この回動プレート３が、ハンドル部２ｄや回動部２ｂと一体的に回動するようになっている。
【０００４】
図１４、図１５に示すように、扉体１の裏面寄り箇所には、上下に延びるスライドロック部材５が、扉体１の裏面板１ａや補強ガイド部材１ｂなどによって扉体１内で上下にスライド自在に支持されている。このスライドロック部材５には横孔部５ａとロック用孔部５ｂとが形成され、回動プレート３の一端に形成されたフック部３ａが、スライドロック部材５の横孔部５ａに挿入されて係合されている。そして、錠装置２にキーが挿入されてハンドル部２ｄとともに回動部２ｂ並びに回動プレート３が回動された際に、回動プレート３に連動してスライドロック部材５が昇降されるようになっている。
【０００５】
図１５〜図１７に示すように、扉体１が開閉自在に取り付けられている自動販売機本体６には、扉体１側に延びる固定ロック部材７が固定され、図１５、図１６に示すように、固定ロック部材７の先端に形成された切欠アーム部７ａがスライドロック部材５のロック用孔部５ｂに嵌入自在とされている。そして、扉体１が閉じられて錠装置２が施錠されている際には、スライドロック部材５におけるロック用孔部５ｂの直上部分が、固定ロック部材７の切欠アーム部７ａの下方まで入り込み、この状態で扉体１を開けようとしても、固定ロック部材７の切欠アーム部７ａが、スライドロック部材５におけるロック用孔部５ｂの直上部分に当接して前後に位置規制され、自動販売機本体６から扉体１を開けられないようにロックされる。なお、１０は、自動販売機本体６の側面部６ｃの裏側などに固定されて、前記側面部６ｃなど（扉体１により閉じられる自動販売機本体６の開口部に臨む壁面部分）を補強する補強部材で、固定ロック部材７が固定されている。
【０００６】
一方、キーが錠装置２に挿入されて解錠され、ハンドル部２ｄとともに回動部２ｂ並びに回動プレート３が所定方向に回動されると、回動プレート３に連動してスライドロック部材５が上昇され、スライドロック部材５のロック用孔部５ｂに対して固定ロック部材７の切欠アーム部７ａが扉体１に対して挿脱自在で何ら係合しない状態となる。したがって、図１７に示すように、自動販売機本体６から扉体１を自由に開閉することができる。
【０００７】
しかし、このような従来構成の扉体施錠装置では、スライドロック部材５と固定ロック部材７との係合箇所だけで、扉体１が開けられることを禁止している構造であるので、扉体１と自動販売機本体６との間の隙間などからバールなどの治具を挿入するなどして、回動プレート３とスライドロック部材５との係合箇所やスライドロック部材５と固定ロック部材７との係合箇所を破壊されることがあり、防盗性能が十分とはいえなかった。
【０００８】
これに対処する構成として、特許文献１には、上記のような構成に加えて、錠装置とは別個に補助錠をさらに設け、この補助錠によって連動する扉体側に取り付けた扉側部材を、施錠時にスライドロック部材に係合させ、スライドロック部材をロックさせたものが開示されている。
【０００９】
この構成によれば、回動プレートとスライドロック部材との係合箇所に対応する部分が破壊された場合でも、スライドロック部材が前記扉側部材によりロックされたままであるので、扉体が開けられない状態が維持され、防盗性能が向上する。
【特許文献１】特開２００３−１６１０６８号公報
【発明の開示】
【発明が解決しようとする課題】
【００１０】
しかしながら、上記特許文献１の構成によれば、防盗性能が向上するものの、施錠ならびに開錠する際に、錠だけでなく補助錠も操作しなければならないので、手間や時間がかかり、操作性が低下する課題がある。
【００１１】
本発明は上記課題を解決するもので、操作性を低下させることなく、防盗性能を向上させることができる自動販売機の扉体施錠装置を提供することを目的とするものである。
【課題を解決するための手段】
【００１２】
上記課題を解決するために本発明の請求項１記載の自動販売機の扉体施錠装置は、自動販売機本体と、自動販売機本体の片側に配置された回転軸を中心として開閉自在に支持された扉体と、自動販売機本体に固定された固定ロック部材と、前記扉体に取り付けられ、解錠された際に回転可能となる回動部を有する錠装置と、前記回動部に連動する状態で、前記扉体にスライド自在に取り付けられ、前記固定ロック部材に係合する係合位置と係合しない離脱位置とにわたって移動するスライドロック部材と、前記回動部に連動する状態で、前記扉体にスライド自在に取り付けられ、前記自動販売機本体に係合する係合位置と係合しない離脱位置とにわたって移動する閂とを備えたことを特徴とする。
【００１３】
この構成により、錠装置を施錠したり開錠したりすることにより、スライドロック部材と固定ロック部材との係合離脱動作が行われるだけでなく、閂と自動販売機本体との係合離脱動作も行われる。したがって、１つの錠装置の操作により、複数の箇所での係合離脱動作が行われ、この結果、操作性を低下させることなく、防盗性能を向上させることができる。
【００１４】
また、請求項２記載の発明は、請求項１に記載の自動販売機の扉体施錠装置において、閂が自動販売機本体に固定された補助ロック部材に係合し、前記補助ロック部材が、自動販売機本体の側面部裏面に固定されてこの側面部を補強する補強部材であることを特徴とする。
【００１５】
この構成により、錠装置を施錠したり開錠したりすることにより、スライドロック部材と固定ロック部材との係合離脱動作が行われるだけでなく、閂と補助ロック部材との係合離脱動作も行われる。
【００１６】
また、請求項３記載の発明は、請求項１または２に記載の自動販売機の扉体施錠装置において、扉体に貨幣処理部を覆う貨幣処理部カバーを開閉自在に設け、閂または閂に連動する部品に、閉鎖姿勢の前記貨幣処理部カバーに係合してこの貨幣処理部カバーが開けられることを禁止するカバー係合部を形成したことを特徴とする。
【００１７】
この構成により、錠装置の操作により、閂または閂に連動する部品が貨幣処理部カバーに係合して貨幣処理部カバーが開けられることを禁止でき、さらに防盗性能を向上させることができる。
【００１８】
また、請求項４記載の発明は、請求項３に記載の自動販売機の扉体施錠装置において、錠装置の錠機構を裏側から覆う錠カバー内に貨幣処理部カバーの一部が突入された状態で、閂が前記貨幣処理部カバーの突入部分に係合するように構成されたことを特徴とする。
【００１９】
この構成により、錠装置が施錠された際に、閂または閂に連動する部品と貨幣処理部カバーとの係合部分が錠カバーにより覆われるので、一層防盗性能を向上させることができる。
【００２０】
また、請求項５記載の発明は、請求項１〜４の何れか１項に記載の自動販売機の扉体施錠装置において、扉体の裏面部に固定されている部材に、扉体の裏面より自動販売機本体内部に向けて後方へ延びる内カバーと、扉体の裏面より自動販売機本体外部に向けて後方へ延びる外カバーとを固着し、前記内カバーと外カバーとにより、固定ロック部材における扉体と自動販売機本体との間の隙間に臨む部分を２重に覆ったことを特徴とする。
【００２１】
この構成により、扉体と自動販売機本体との間の隙間に臨む部分が、外カバーと内カバーとにより二重に覆われるので、この隙間からバールなどの治具を固定ロック部材に向けて挿入することも困難となり、さらに防盗性能が向上する。
【発明の効果】
【００２２】
以上のように本発明によれば、１つの錠装置の操作により、複数の箇所での係合離脱動作が行われ、この結果、操作性を低下させることなく、防盗性能を向上させることができる。
【００２３】
また、閂が係合する補助ロック部材として、自動販売機本体の側面部裏面に固定されてこの側面部を補強する補強部材を用いることで、無理に扉体が開けられようとした場合でも、十分に阻止できる強度を有することとなり、これによっても防盗性能が向上するとともに、閂に係合する部品として別途に部品を設けなくても済んで、部品点数の増加を最小限に抑えることができ、製造コストの増加も防止できる。
【００２４】
また、錠装置の操作により、閂または閂に連動する部品が貨幣処理部カバーに係合して貨幣処理部カバーが開けられることを禁止でき、さらに防盗性能を向上させることができる。
【００２５】
また、錠装置の錠機構を裏側から覆う錠カバー内に貨幣処理部カバーの一部が突入された状態で、閂が前記貨幣処理部カバーの突入部分に係合するように構成することで、一層防盗性能を向上させることができる。
【００２６】
また、内カバーと外カバーとにより、固定ロック部材における扉体と自動販売機本体との間の隙間に臨む部分を２重に覆うことにより、扉体と自動販売機本体との間の隙間からにバールなどの治具を固定ロック部材に向けて挿入して盗難することが極めて困難となり、さらに防盗性能が向上する。
【発明を実施するための最良の形態】
【００２７】
以下、本発明の実施の形態を図面に基づき説明する。なお、従来の自動販売機の扉体施錠装置と同様な機能の構成要素には同符号を付し、その説明は省略する。
図１〜図４などに示すように、この扉体施錠装置においては、錠装置２の回動部２ｂに取り付けられた回動プレート３に、スライドロック部材５に係合するフック部３ａが一側部に形成されている構成に加えて、上部に、閂８に係合して連動させる突部３ｂが形成されている。閂８は、錠装置２を裏側および上面側から覆う錠裏面カバー９Ａなどにより、ほぼ左右方向のみスライドできる状態に位置規制されて支持されており、屈曲上面部８ａに形成された嵌合孔８ｂに回動プレート３の突部３ｂが挿入され、錠装置２の回動部２ｂの回動に伴って突部３ｂが回動した際に、これに連動して左右に移動する。錠装置２におけるベース部２ａから後方に延設された部分は、錠カバー本体９Ｂにより左右および下方から囲まれ、また、錠裏面カバー９Ａにより裏面側および上方から囲まれており、これらの錠カバー本体９Ｂと錠裏面カバー９Ａとにより錠カバーを構成して錠装置２におけるベース部２ａから後方の部分を覆って、防犯機能を向上させている。
【００２８】
また、図２〜図５に示すように、閂８は、その一方側に係合板部８ｃが形成され、この係合板部８ｃは、錠裏面カバー９Ａから後方に突出するとともに、扉体１に取り付けられた補強ガイド部材１ｂの後延部を側方に貫通して配置され、施錠時には、この係合板部８ｃが、補助ロック部材としても機能する補強部材１０に形成された係合孔１０ａに挿入している。
【００２９】
さらに、図３（ｂ）などに示すように、閂８の他方側下部には、鉤状に屈曲する鉤状部８ｄが形成されている。この鉤状部８ｄは、図２、図４、図６などに示すように、貨幣処理部カバーとしてのコインメックカバー１２に形成されたロック用孔１２ｂに係合可能に構成されている。コインメックカバー１２は、貨幣処理部としてのコインメック１１を覆っており、扉体１の裏面部において回転支持軸１３（図１参照）を中心として開閉自在に取り付けられている。そして、コインメックカバー１２の開放側先端部に設けられた突片部１２ａが錠裏面カバー９Ａの孔部９ｃを通して錠カバー内に突入可能に配置されており、この突片部１２ａに前記ロック用孔１２ｂが形成されている。施錠時には、コインメックカバー１２の突片部１２ａが錠裏面カバー９Ａを通して錠カバー内に突入されており、この突片部１２ａに形成されたロック用孔１２ｂに閂８の鉤状部８ｄが挿入されている。
【００３０】
なお、この実施の形態においては、図２に示すように、扉体１の裏面に固定されている補強ガイド部材１ｂに、扉体１の裏面から自動販売機本体６の外部に向けて後方へ延びる外カバー１４と、扉体１の裏面から自動販売機本体６の内部に向けて後方へ延びる内カバー１５とが固着されており、これらの外カバー１４および内カバー１５により、扉体１と自動販売機本体６との間の隙間に臨む部分を二重に覆っている。
【００３１】
また、固定ロック部材７はその基部が補強部材１０内に突入された状態で固定されている。また、図示しないが、固定ロック部材７は上下に適当間隔をあけて３箇所に取り付けられ、これに対応してスライドロック部材５に３箇所設けられたロック用孔部５ｂに、並行して突入して係合するようになっている。
【００３２】
さらに、図７に示すように、扉体１の裏面板１ａには、ａ方向へのばね性を有するとともに、スライドロック部材５の上端のロック用孔部５ｂに嵌入可能な引掛部１６ａを有するストッパ部材１６が取り付けられている。このストッパ部材１６は、係員等により、錠装置２が解錠されて、ハンドル部２ｄを持って上方に回動させるとともに、手前側に引いて扉体１を開けると、その後に、ハンドル部２ｄから手を離しても、ハンドル部２ｄやスライドロック部材５が元の位置（施錠時の位置）に戻らないようになっている。すなわち、解錠時にハンドル部２ｄを上方に回動させて、回動部２ｂおよび回動プレート３を介してスライドロック部材５を上動させた状態で扉体１を開けると、図８に示すように、スライドロック部材５の上端のロック用孔部５ｂにストッパ部材１６の引掛部１６ａが嵌入して、スライドロック部材５を上動位置に保持し、これにともなって、回動プレート３や錠装置２の回動部２ｂ、ハンドル部２ｄも回動させた位置に保持される。これにより、ハンドル部２ｄから手を離しても、その姿勢が保持される。
【００３３】
また、この状態から扉体１を閉じると、固定ロック部材７の切欠アーム部７ａの先端が、ストッパ部材１６の引掛部１６ａ近傍箇所に当接して、ストッパ部材１６の引掛部１６ａがスライドロック部材５の上端のロック用孔部５ｂから離脱し、この結果、スライドロック部材５が下降し、スライドロック部材５と固定ロック部材７とが係合するようになっている。
【００３４】
上記構成において、扉体１が閉じられて錠装置２が施錠されている際には、図５に示すように、スライドロック部材５におけるロック用孔部５ｂの直上部分が、固定ロック部材７の切欠アーム部７ａの下方まで入り込み、この状態で扉体１を開けようとしても、固定ロック部材７の切欠アーム部７ａが、スライドロック部材５におけるロック用孔部５ｂの直上部分に当接して前後に位置規制され、自動販売機本体６から扉体１を開けられないようにロックされる。
【００３５】
また、同時に施錠時には、図２、図５に示すように、錠装置２の回動部２ｂや回動プレート３に連動して移動された閂８の係合板部８ｃが、補助ロック部材としても機能する補強部材１０に形成された係合孔１０ａに挿入して係合されているので、これによっても、この状態で扉体１を開けようとしても、閂８の係合板部８ｃが、補強部材１０の係合孔１０ａの壁面に当接して前後に位置規制され、自動販売機本体６から扉体１を開けられないようにロックされる。
【００３６】
このように、施錠時には、スライドロック部材５と固定ロック部材７との係合ロック動作に加えて、閂８と補強部材１０との係合ロック動作も行われているので、防盗性能が向上する。しかも、補強部材１０は扉体１の側面部６ｃなどを補強する部材であるので、十分な強度を有しており、このように無理に扉体１が開けられようとした場合でも、十分に阻止できる強度を有することとなり、これによっても防盗性能が向上する。また、補強部材１０は自動販売機本体６の側面部６ｃなどを補強する部材であり、従来から設けられている必要な部品であって、閂８に係合する部品として別途に部品を設けたわけでないので、部品点数の増加を最小限に済ますことができ、製造コストの増加も防止できる。
【００３７】
また、この実施の形態においては、外カバー１４および内カバー１５により、扉体１と自動販売機本体６との間の隙間に臨む部分を二重に覆っているので、この隙間からバールなどの治具を挿入することも困難となり、さらに防盗性能が向上する。つまり、外カバー１４の外部に露出している箇所をバールなどにより扉体１側（前側）に無理に曲げた場合でも、この外カバー１４と自動販売機本体６の側面部６ｃ前端との間の隙間からは内カバー１５しか見えず、固定ロック部材７の部分は内カバー１５により覆われて外部に露出しないので、このように固定ロック部材７の係合部分の破壊をバールなどにより図る盗難行為を防止できる。
【００３８】
また、万一、扉体１が強引に開けられた場合でも、図６に示すように、閂８の鉤状部８ｄがコインメックカバー１２のロック用孔１２ｂの箇所で係合しているので、コインメックカバー１２が開けられることを防止でき、これによって、コインメック１１内の貨幣が盗まれることを防止できて、この構成によっても防盗性能の向上も得ることができる。また、この場合に、閂８の鉤状部８ｄとコインメックカバー１２との係合部分は、錠カバー本体９Ｂと錠裏面カバー９Ａとにより外部から覆われており、外部に露出していないので、この係合部を破壊することも困難となって、一層防盗性能を向上させることができる。
【００３９】
係員などが扉体１を開ける場合には、錠装置２に正規のキーを挿入して解錠し、錠装置２のハンドル部２ｄを持って所定方向に回動させる。これにより、錠装置２の回動部２ｂ並びに回動プレート３が所定方向に回動され、回動プレート３に連動してスライドロック部材５が上昇され、図１０に示すように、スライドロック部材５のロック用孔部５ｂに対して固定ロック部材７の切欠アーム部７ａが挿脱自在で何ら係合しない状態となる。また、図９、図１０に示すように、回動プレート３に連動して閂８の係合板部８ｃが補強部材１０の係合孔１０ａから離脱し、閂８が補強部材１０と係合しない状態となる。これにより、図１１に示すように、自動販売機本体６から扉体１を自由に開閉することができる。また、図１２に示すように、閂８の鉤状部８ｄがコインメックカバー１２のロック用孔１２ｂから離脱するので、コインメックカバー１２を開けることも自由に行える。
【００４０】
なお、この状態から施錠する際は、上記開錠時と逆の動作、すなわち、扉体１を閉じて、錠装置２のキーを施錠位置に戻すだけでよい。
また、上記実施の形態では、閂８が貨幣処理部カバーとしてのコインメックカバー１２に直接係合する場合を述べたが、これに限るものではなく閂８に連動する部品がコインメックカバー１２に係合するように構成してもよい。
【図面の簡単な説明】
【００４１】
【図１】本発明の実施の形態に係る自動販売機の扉体施錠装置および近傍箇所の施錠時における平面断面図である。
【図２】同扉体施錠装置の施錠時の平面断面図である。
【図３】（ａ）および（ｂ）は同扉体施錠装置の回動プレートおよび閂の斜視図である。
【図４】同扉体施錠装置の、スライドロック部材、錠装置、閂、錠裏面カバー、コインメックカバーを示す斜視図である。
【図５】同扉体施錠装置の施錠時における、スライドロック部材と固定ロック部材との係合状態、並びに閂と補強部材との係合状態を概念的に示す斜視図である。
【図６】（ａ）および（ｂ）は同扉体施錠装置の施錠時における、閂とコインメックカバーとの係合状態などを概念的に示す背面図および部分側面断面図である。
【図７】同扉体施錠装置の施錠時における、ストッパ部材とスライドロック部材との位置関係などを簡略的に示す側面断面図である。
【図８】同扉体施錠装置の解錠時における、ストッパ部材によりスライドロック部材を保持している状態を簡略的に示す側面断面図である。
【図９】同扉体施錠装置の解錠時の平面断面図である。
【図１０】同扉体施錠装置の解錠時における、スライドロック部材と固定ロック部材との状態などを概念的に示す斜視図である。
【図１１】本発明の実施の形態に係る自動販売機の扉体施錠装置および近傍箇所の解錠時における平面断面図である。
【図１２】同扉体施錠装置の解錠時における、閂とコインメックカバーとの係合状態などを概念的に示す背面図である。
【図１３】自動販売機の全体斜視図である。
【図１４】従来の自動販売機の施錠時の平面断面図である。
【図１５】同従来の扉体施錠装置の施錠時における、スライドロック部材と固定ロック部材との係合状態を概念的に示す斜視図である。
【図１６】同従来の扉体施錠装置の施錠時における、スライドロック部材と固定ロック部材との係合状態を概念的に示す側面断面図である。
【図１７】同従来の扉体施錠装置の解錠時における、スライドロック部材と固定ロック部材との離脱状態を概念的に示す側面断面図である。
【符号の説明】
【００４２】
１        扉体
２        錠装置
２ｂ      回動部
３        回動プレート
５        スライドロック部材
６        自動販売機本体
７        固定ロック部材
８        閂
８ｃ      係合板部
８ｄ      鉤状部
９Ａ      錠裏面カバー（錠カバー）
９Ｂ      錠カバー本体（錠カバー）
１０      補強部材（補助ロック部材）
１１      コインメック
１２      コインメックカバー（貨幣処理部カバー）
１２ａ    突片部
１２ｂ    ロック用孔
１６      ストッパ部材
【図１】
2005194802.tif 000003
【図２】
2005194802.tif 000004
【図３】
2005194802.tif 000005
【図４】
2005194802.tif 000006
【図５】
2005194802.tif 000007
【図６】
2005194802.tif 000008
【図７】
2005194802.tif 000009
【図８】
2005194802.tif 000010
【図９】
2005194802.tif 000011
【図１０】
2005194802.tif 000012
【図１１】
2005194802.tif 000013
【図１２】
2005194802.tif 000014
【図１３】
2005194802.tif 000015
【図１４】
2005194802.tif 000016
【図１５】
2005194802.tif 000017
【図１６】
2005194802.tif 000018
【図１７】
2005194802.tif 000019